(57)【要約】【課題】  簡単な構成にて円滑に、光軸ズレによるレーザ光の光学特性の劣化を抑制し得る光ピックアップ装置を提供する。【解決手段】  対物レンズ１０６は、ＣＤ用レーザ光（波長７８０ｎｍ）に対してのみ有限系となっている。３波長レーザ１０１は、ＣＤ用レーザ光の光軸が光学系（偏光ＢＳ１０２〜光軸補正素子１０８）に対して位置合わせされるよう配置されている。この構成によれば、対物レンズ１０６をチルト駆動することによっても補償しきれない程度にまで大きな光学特性の劣化がＣＤ用レーザ光に生じることはなく、ＣＤ用レーザ光を用いた記録再生動作を安定化させることができる。このとき、ＤＶＤ用レーザ光と次世代ＤＶＤ用レーザ光の光軸は光学系に対してずれるが、これらの光は対物レンズ１０６に対して無限系として入射されるため、対物レンズをチルト駆動することによって特性の劣化を抑制できる。【選択図】    図１
2006172608.tif 000002
【特許請求の範囲】
【請求項１】
出射波長の異なる３つの発光素子を同一筺体内に収容した半導体レーザと、該半導体レーザから出射されたレーザ光を記録媒体上に導く光学系とを備え、
前記３つの発光素子から出射されるレーザ光のうち対物レンズに有限系として入射するレーザ光の光軸を前記光学系に整合させる、
ことを特徴とする光ピックアップ装置。
【請求項２】
請求項１において、
前記対物レンズは、前記３つの発光素子から出射されるレーザ光のうち一つのレーザ光に対してのみ有限系となっており、前記半導体レーザは、当該レーザ光の光軸が前記光学系に整合するよう前記光学系に対して配置されている、
ことを特徴とする光ピックアップ装置。
【請求項３】
請求項２において、
前記対物レンズに有限系として入射されるレーザ光以外のレーザ光を出射する発光素子を、出射レーザ光の光軸に直交する方向において、前記対物レンズに有限系として入射されるレーザ光を出射する発光素子との間に他の発光素子が介在しないようにして、前記筐体内に収容した、
ことを特徴とする光ピックアップ装置。
【請求項４】
請求項２または３において、
前記対物レンズに有限系として入射されるレーザ光以外の２つのレーザ光のうち、一方のレーザ光のみを、他方のレーザ光の光軸または前記対物レンズに有限系として入射されるレーザ光の光軸に、回折作用によって整合させる回折格子を備える、
ことを特徴とする光ピックアップ装置。
【請求項５】
請求項１ないし４の何れかにおいて、
前記半導体レーザは、ＣＤ用レーザ光、ＤＶＤ用レーザ光および次世代ＤＶＤ用レーザ光を発する３つの発光素子を同一筐体に収容し、前記対物レンズは、前記ＣＤ用レーザ光に対しては有限系、その他のレーザ光に対しては無限系となっており、前記半導体レーザは、前記ＣＤ用レーザ光の光軸が前記光学系に整合するよう前記光学系に対して配置されている、
ことを特徴とするピックアップ装置。
【発明の詳細な説明】
【技術分野】
【０００１】
本発明は、光ピックアップ装置に関し、特に、波長の異なる数種のレーザ光を記録媒体に照射する互換型の光ピックアップ装置に用いて好適なものである。
【背景技術】
【０００２】
現在、ＣＤ（Compact Disc）やＤＶＤ（Digital Versatile Disc）等、様々な光ディスクが商品化され普及している。さらに、最近では、青紫レーザ光を用いて情報を記録再生する次世代ＤＶＤの規格化が進められている。この次世代ＤＶＤは、波長４０５ｎｍ程度の青紫レーザ光を用いて情報を記録再生するものである。レーザ光の短波長化によって、さらなる高密度化を図ることができる。
【０００３】
このように、ディスクの多様化が進むと、異なる種類のディスクに対し記録再生を行い得る、いわゆる互換型の光ピックアップ装置の開発が要求される。この場合、一つのＣＡＮ内に出射波長の異なる複数のレーザ素子を同時に装備するよう構成することができる。こうすると、半導体レーザの配置スペースを削減でき、且つ、各レーザ光について光学系を共用できるようになる。
【０００４】
ところが、このように一つのＣＡＮ内に複数のレーザ素子を装備すると、各レーザ素子の配置ギャップに応じて、レーザ光の光軸間にズレが生じる。このため、一つのレーザ光の光軸に光学系を位置合わせすると、他のレーザ光の光軸が光学系に対してずれてしまい、これら他のレーザ光にて記録再生を行う際に、記録媒体上のレーザ光に収差が生じ、光学特性が劣化するとの問題が生じる。
【０００５】
そこで、以下の特許文献１では、数種のレーザ素子を収容した半導体レーザの直後に複屈折素子を配し、この複屈折素子にてそれぞれのレーザ光の光軸を一致させてから、光学系にレーザ光を導くようにしている。
【０００６】
ところが、この先行発明では、別途、複屈折素子が必要となり、また、基準となるレーザ光の偏光面とその他のレーザ光の偏光面が直交するよう、それぞれのレーザ素子を形成する必要がある。しかし、このように偏光面を相違させながらレーザ素子を形成するのは容易ではなく、また、複屈折素子は高価であるため、光ピックアップ装置全体のコスト上昇を招くとの問題も生じる。
【０００７】
そこで、出願人は、先に、特願平２００４−１４５１６９号を出願し、回折格子を用いた光軸補正技術を提案している。この先行発明によれば、光軸補正素子として回折格子を用いるためコストの上昇を抑制することができ、また、上記特許文献１のように、各波長のレーザ光の偏光面を考慮しながら対応するレーザ素子の配置、形成を調整する必要もない。
【特許文献１】特開平６−１３１６８８号公報
【発明の開示】
【発明が解決しようとする課題】
【０００８】
上記のようにＣＤ用レーザ光、ＤＶＤ用レーザ光および次世代ＤＶＤ用レーザ光をそれぞれ出射する３つのレーザ素子を同一ＣＡＮ内に収容する場合、通常、次世代ＤＶＤ用レーザ光の光軸を他のレーザ光に優先して、光学系の光軸に位置合せする構成がとられる。これは、次世代ＤＶＤ用レーザ光の波長が短く、また、出射パワーが微弱であることによるものである。
【０００９】
ところが、その一方で、これら３つのレーザ光のうちＣＤ用レーザ光に対してのみ有限系となるよう対物レンズを設計する場合がある。この場合、ＣＤ用レーザ光の光軸が対物レンズの光軸に対してずれると、他の光軸がずれた場合に比べ、レーザ光の光学特性が顕著に劣化する。
【００１０】
軸外における光学特性の劣化を抑制する手段として対物レンズをチルト駆動する方法が知られている。しかし、ＣＤ用レーザ光のように対物レンズに有限系としてレーザ光が入射された場合には、光軸ずれによる光学特性の劣化が顕著である。そのため、チルト駆動によっては抑制が困難で補償しきれないといった問題があった。
【００１１】
そこで、本発明は、かかる検討結果をもとに、簡単な構成にて円滑に、レーザ光の光学特性の劣化を抑制できる光ピックアップ装置を提供することを課題とする。
【課題を解決するための手段】
【００１２】
上記課題に鑑み本発明は、それぞれ以下の特徴を有する。
【００１３】
請求項１の発明に係る光ピックアップ装置は、出射波長の異なる３つの発光素子（レーザ素子）を同一筺体内に収容した半導体レーザと、該半導体レーザから出射されたレーザ光を記録媒体上に導く光学系とを備え、前記３つの発光素子から出射されるレーザ光のうち対物レンズに有限系として入射するレーザ光の光軸を前記光学系に整合させることを特徴としている。
【００１４】
かかる光ピックアップ装置は、請求項２に記載のように、３つの発光素子から出射されるレーザ光のうち一つのレーザ光に対してのみ対物レンズが有限系となっている場合に、当該レーザ光の光軸が前記光学系に整合するよう、半導体レーザを光学系に対し配置するものとして構成することができる。
【００１５】
このとき、請求項３に記載のように、前記対物レンズに有限系として入射されるレーザ光以外のレーザ光を出射する発光素子を、出射レーザ光の光軸に直交する方向において、前記対物レンズに有限系として入射されるレーザ光を出射する発光素子との間に他の発光素子が介在しないようにして、前記筐体内に収容するようにすることができる。
【００１６】
また、請求項４に記載のように、対物レンズに有限系として入射されるレーザ光以外の２つのレーザ光のうち一方のレーザ光のみを、他方のレーザ光の光軸、または、対物レンズに有限系として入射されるレーザ光の光軸に、回折作用によって整合させる回折格子を備えるようにすることができる。
【００１７】
これら請求項１ないし４の発明は、より具体的には請求項５に記載のように、半導体レーザがＣＤ用レーザ光、ＤＶＤ用レーザ光および次世代ＤＶＤ用レーザ光を出射し、且つ、対物レンズがＣＤ用レーザ光に対しては有限系、その他のレーザ光に対しては無限系となるよう設計されている場合には、ＣＤ用レーザ光の光軸が光学系に整合するようにして、半導体レーザを光学系に対して配置するものとして構成することができる。
【００１８】
なお、上記回折格子は、半導体レーザから対物レンズまでの光路中に配置しても良いし、あるいは、対物レンズから光検出器までの光路中に配置しても良い。何れの場合も、光検出器を共用できるとの効果を奏することができ、加えて前者の場合は、光軸合わせ後にレーザ光が対物レンズに導かれるため、当該レーザ光の光学特性を向上させ得るとの効果を奏することができる。
【発明の効果】
【００１９】
請求項１の発明によれば、対物レンズに有限系として入射するレーザ光の光軸を光学系に整合させるようにしたため、上記のように対物レンズのチルト駆動にて補償しきれない程度にまで大きな劣化がレーザ光に生じることはなく、もって、安定した記録再生特性を実現することができる。
【００２０】
また、請求項２の発明によれば、半導体レーザの配置を調整するのみで済むことから、光学系における構成の複雑化を抑制することができ、光ピックアップ装置の構成を簡素なものとすることができる。
【００２１】
また、請求項３の発明によれば、対物レンズに有限系として入射されるレーザ光以外のレーザ光の光軸を光学系の光軸に接近させることができ、これらレーザ光に生じる光学特性の劣化を抑制することができる。
【００２２】
さらに、請求項４の発明によれば、回折格子によって光軸調整されたレーザ光の光学特性を向上させることができ、光ピックアップ装置の特性の安定化を図ることができる。このとき、対物レンズに有限系として入射するレーザ光以外の２つのレーザ光のうち一方のみを回折格子によって光軸調整することから、回折効率によるパワーの減衰は一つの回折格子において一度だけ生じることとなり、もって、残り２つのレーザ光をともに光軸調整する場合に比べ、各波長のレーザ光の減衰を抑制することができる。
【００２３】
本発明の効果ないし意義は、以下に示す実施形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００２４】
以下、本発明の実施の形態につき図面を参照して説明する。
【００２５】
図１に実施の形態に係る光ピックアップ装置の構成を示す。なお、この光ピックアップ装置は、ＣＤ／ＤＶＤ／次世代ＤＶＤの互換型ピックアップとして用いられるものである。
【００２６】
本実施の形態に係る光ピックアップ装置は、３波長レーザ１０１と、偏光ＢＳ（ビームスプリッタ）１０２と、コリメータレンズ１０３と、ビームエキスパンダ１０４と、λ／４板１０５、対物レンズ１０６と、シリンダレンズ１０７と、光軸補正素子１０８と、光検出器１０９を備えている。
【００２７】
３波長レーザ１０１は、ＣＤ用のレーザ光（波長７８０ｎｍ）、ＤＶＤ用のレーザ光（波長６５０ｎｍ）、次世代ＤＶＤ用のレーザ光（波長４０５ｎｍ）をそれぞれ出射する３つのレーザ素子を同一ＣＡＮ内に収容している。ここで、それぞれのレーザ素子は一つの直線上に並ぶよう所定のギャップをおいて配置されている。また、各素子から出射されるレーザ光は互いに偏光面が平行となっている。ここで、３波長レーザ１０１は、ＣＤ用レーザ光の光軸が偏光ＢＳ１０２から対物レンズ１０６、およびシリンダレンズ１０７、光軸補正素子１０８からなる光学系に対して位置合せされるようにして配置されている。
【００２８】
偏光ＢＳ１０２は、３波長レーザ１０１からのレーザ光を全透過するとともに、ディスク１００からのレーザ光を全反射する。
【００２９】
コリメータレンズ１０３は、偏光ＢＳ１０２から入射された各波長のレーザ光を平行光に変換する。ここで、コリメータレンズ１０３は、各波長のレーザ光に対し色消し効果を実現できるよう、アッベ数と曲率（球面）が調整された複数枚のレンズを貼り合わせて形成されている。
【００３０】
ビームエキスパンダ１０４は、凹レンズおよび凸レンズと、光軸方向におけるこれら２つのレンズの距離を変化させるアクチュエータから構成されており、サーボ回路（図示せず）からのサーボ信号に応じて凹レンズおよび凸レンズの距離を変化させてレーザ光の波面状態を補正する。本実施の形態では、後述の如く対物レンズ１０６はＣＤ用レーザ光に対してのみ有限系となるよう設計されているため、対物レンズ１０６に対するＣＤ用レーザ光の波面状態が適正となるよう補正する必要がある。ビームエキスパンダ１０４は、ＣＤ用レーザ光が使用される場合に、その波面状態が適正となるようＣＤ用レーザ光に波面補正作用を付与する。
【００３１】
λ／４板１０５は、コリメータレンズ１０３によって平行光に変換されたレーザ光（直線偏光）を円偏光に変換する。また、ディスク１００から反射されたレーザ光（円偏光）を、入射時の偏光方向に直交する直線偏光に変換する。したがって、ディスクから反射されたレーザ光は、偏光ビームＢＳ１０４によってほぼ全反射される。
【００３２】
対物レンズ１０６は、各波長のレーザ光を記録層上に収束する。ここで、対物レンズ１０６は、ＣＤ用レーザ光に対してのみ有限系となり、ＤＶＤ用レーザ光および次世代ＤＶＤ用レーザ光に対しては無限系となるよう設計されている。また、ＣＤ用レーザ光に対しては、所定の開口数までの光は収束し、それを超える開口数の光は一点に収束しないよう設計されている。ＣＤの基板厚（１．２ｍｍ）は他のディスクの基板厚（０．６ｍｍ）に比べて大きいため、対物レンズ１０６に対するＣＤ用レーザ光の開口数を他のレーザ光に比べて小さくする必要がある。このため、対物レンズ１０６は、上記のように、ＣＤ用レーザ光については所定の開口数までの光のみを収束するよう設計されている。
【００３３】
なお、対物レンズ１０６は、対物レンズアクチュエータ（図１には図示せず）によって、フォーカス方向、トラッキング方向およびチルト方向に駆動される。すなわち、サーボ回路からのサーボ信号（トラッキングサーボ信号、フォーカスサーボ信号、チルトサーボ信号）に応じて、フォーカス方向、トラッキング方向およびチルト方向に駆動される。対物レンズアクチュエータの構成は追って説明する。
【００３４】
シリンダレンズ１０７は、各波長のレーザ光に非点収差作用を付与する。ここで、シリンダレンズ１０７は、各波長のレーザ光に対し色消し効果を実現できるよう、アッベ数と曲率（球面）が調整された複数枚のレンズを貼り合わせて形成されている。
【００３５】
光軸補正素子１０８は、回折格子により形成されており、ＤＶＤ用レーザ光の光軸を、光検出器１０９上において、次世代ＤＶＤ用レーザ光の光軸に整合させる。光軸補正素子１０８の構成および作用については、追って詳述する。
【００３６】
光検出器１０９は、受光したレーザ光の強度分布から再生ＲＦ信号、フォーカスエラー信号、トラッキングエラー信号およびチルトエラー信号を導出するためのセンサーパターンを有している。各センサーからの信号は、ディスク装置側の再生回路およびサーボ回路に出力される。なお、本実施の形態では、フォーカスエラー信号の生成方法として非点収差法が採用され、また、トラッキングエラー信号の生成方法としてＤＰＤ（Differential Phase Detection）法が採用されている。光検出器１０９のセンサーパターンおよびエラー信号の生成については追って詳述する。
【００３７】
図２に、３波長レーザ１０１の構成を示す。なお、同図（ｂ）は、同図（ａ）を右側から見た右側面図である。
【００３８】
図において、１０１ａ〜１０１ｃは、レーザ素子である。図示のとおり、レーザ素子１０１ａ〜１０１ｃは、出射口側から見て一直線上に並ぶよう、基体１０１ｄにマウントされている。ここで、各レーザ素子間の間隔は、レーザ素子１０１ｃ（波長６５０ｎｍ）から出射されるレーザ光が、光軸補正素子１０８によって、レーザ素子１０１ｂから出射されるレーザ光（波長：４０５ｎｍ）の光軸に一致するよう回折される間隔に設定されている。
【００３９】
次に、図３を参照して、回折格子（光軸補正素子）による光軸補正作用について説明する。なお、同図（ａ）は、回折格子がレーザ素子の直後に配置されている場合を示し、同図（ｂ）は、回折格子が光検出器の直前に配置されている場合を示すものである。
【００４０】
まず、同図（ａ）を参照して、光軸補正素子には、レーザ光が入射する側の面に、ホログラム格子パターンが形成されている。なお、同図には、ステップ数＝３の格子パターンが示されている。ここで、格子ピッチをｐとすると、レーザ光の１次光の回折角θと波長λの関係は、
λ＝ｐ ｓｉｎθ      …（１）
θ＝ｓｉｎ-1λ／ｐ   …（２）
と規定される。したがって、波長λａのレーザ光の光軸を光軸補正素子による回折にて波長λｂのレーザ光の光軸に一致させようとすると、レーザ素子間の発光点間隔ｄ１は、
ｄ１＝Ｌ１ｔａｎθ１    …（３）
と規定されるから、波長λａと、光軸補正素子１０３の格子ピッチｐから、レーザ素子間の発光点間隔ｄ１は、
ｄ１＝Ｌ１ｔａｎ（ｓｉｎ-1λａ／ｐ）    …（４）
として設定される。従って、出射波長λａと発光点間隔ｄ１から単純光路長Ｌ１を求め、この位置に光軸補正素子を配置することにより、波長λａのレーザ光（１次回折光）の光軸を、波長λｂのレーザ光の光軸に整合させることができる。逆に、発光点間隔ｄ１と単純光路長Ｌ１が決まっている場合には、式（４）をもとに回折格子の格子ピッチｐを設定すれば良い。
【００４１】
なお、図３（ｂ）に示すように２つのレーザ光の光軸を光検出器上において整合させる場合には、式（４）は次式のように変更される。
【００４２】
ｄ２＝Ｌ２ｔａｎ（ｓｉｎ-1λｂ／ｐ）    …（５）
よって、この式を用いながら、光軸間隔ｄ２と単純光路長Ｌ２をもとに回折格子の格子ピッチｐを算出し、当該格子ピッチｐを有する回折格子を光検出器から単純光路長Ｌ２の位置に配置すれば良い。
【００４３】
図１の光学系においては、ＤＶＤ用レーザ光（波長６５０ｎｍ）の光軸が次世代ＤＶＤ用レーザ光（波長４０５ｎｍ）の光軸に光検出器１０９上において整合される。この場合、回折格子（光軸補正素子１０８）を上記式（５）をもとに設計し、これを光検出器１０９から単純光路長Ｌ２の位置に配置する。
【００４４】
図４に、格子パターンの設計例と回折効率のシミュレーション結果を示す。同図（ａ）に示すようなステップ数＝４の格子パターンを形成し、この格子パターンの設計条件を同図（ｃ）のようにすれば、各波長の回折効率を同図（ｂ）に示すような値に設定することができる。すなわち、光軸調整の対象とされるＤＶＤ用レーザ光（波長６５０ｎｍ）の１次回折光の回折効率を８０％とし、次世代ＤＶＤ用レーザ光（波長４０５ｎｍ）とＣＤ用レーザ光（波長７８０ｎｍ）の０次回折光の回折効率をそれぞれ９６％と９８％とすることができる。
【００４５】
本実施の形態において、ＤＶＤ用レーザ光（波長６５０ｎｍ）の光軸は、光軸補正素子１０９によって次世代ＤＶＤ用レーザ光（波長：４０５ｎｍ）の光軸に整合され、その後、光検出器１０９に入射される。これらレーザ光の光軸は、全光路においてＣＤ用レーザ光（波長：７８０ｎｍ）の光軸からずれている。ここで、ＣＤ用レーザ光の光軸は他の光学系を構成する光学素子（偏光ＢＳ１０２〜光軸補正素子１０８）に対して位置合せされているため、ＤＶＤ用レーザ光と次世代ＤＶＤ用レーザ光は、ＣＤ用レーザ光の光軸からずれている分だけ、これら光学素子に位置ずれした状態で入射される。その結果、ディスク上におけるこれらレーザ光の光学特性は、コマ収差や球面収差等の影響により劣化する。しかし、これらレーザ光は対物レンズ１０６に対して無限系として入射されるため、かかる光学特性の劣化は、対物レンズ１０６を駆動するアクチュエータをチルト駆動することによって抑制できる。
【００４６】
なお、光検出器１１９には、ＣＤ用レーザ光を受光するセンサーパターンと、ＤＶＤ用レーザ光および次世代ＤＶＤ用レーザ光を受光するセンサーパターンが配されている。各センサーパターンからの信号をもとに、ＲＦ信号、トラッキングエラー信号、フォーカスエラー信号が生成される。なお、チルトサーボについては、たとえば記録再生前に、ディスク径方向の複数のサンプル位置においてＲＦ信号が最大となる対物レンズのチルトサーボ位置を求めておき、記録再生時に、たとえば、記録再生位置に最も近いサンプル位置のチルトサーボ位置に対物レンズを駆動するようにしてサーボを掛ける。
【００４７】
各センサーパターンと信号生成回路の構成を図５に示す。同図の構成は、フォーカスエラー信号を非点収差法に基づき生成し、トラッキングエラー信号をＤＰＤ法に基づき生成する場合のものである。なお、同図には、ＣＤ用レーザ光を受光するセンサーパターンと、ＤＶＤ用レーザ光および次世代ＤＶＤ用レーザ光を受光するセンサーパターンのうち一方のセンサーパターンとその信号生成回路を示してある。何れのセンサーパターンおよびその信号生成回路も、同図に示すようにして構成することができる。
【００４８】
図６および図７に対物レンズアクチュエータの構成例を示す。
【００４９】
図６に示す如く、コイルアセンブリは、レンズホルダー２０２と、フォーカシングコイル２０３と、４つのトラッキングコイル２０４と、４つのチルトコイル２０５から構成されている。なお、図において、各コイルに付された実線矢印は、各コイルの巻き方向を示すものである。
【００５０】
フォーカシングコイル２０３は、その内周枠がレンズホルダー２０２の外周より少許だけ大きくなるように、レンズホルダー２００の外周形状と同様の形状で巻回された後、樹脂によって固められる。しかる後、上方からレンズホルダー２０２に嵌め込まれ、接着剤で固着される。
【００５１】
トラッキングコイル２０４は、その内周枠が、レンズホルダー２０２の外周に形成された突部の外周より少許だけ大きくなるように、突部の外周形状と同様の形状で巻回された後、樹脂によって固められる。しかる後、側方から突部に嵌め込まれ、接着剤で固着される。
【００５２】
チルトコイル２０５は、その内周枠が、レンズホルダー２０２の裏面側に形成された一対の爪部に当接するような寸法にて巻回された後、樹脂によって固められる。しかる後、下方から爪部に嵌め込まれ、接着剤で固着される。
【００５３】
図７に、対物レンズアクチュエータの概観斜視図を示す。
【００５４】
上記の如くして各コイルが装着されたレンズホルダー２０２は、図示の如く、各コイルがマグネット２０９とヨーク２１０間の磁気ギャップに介挿されるようにして、ベース２０６に設置された支持体２０７に、ワイヤー２０８によって懸架される。
【００５５】
なお、ワイヤー２０８は、それぞれ対応するコイルに電気的に接続されており、これらワイヤーを介して各コイルにサーボ信号が供給される。各コイルに流れるサーボ信号のバイアス値を変更することで、フォーカス方向、トラッキング方向、チルト方向における対物レンズ１０６の変位量を変化させることができ、また、各コイルに流れるサーボ信号の方向を反転させることで、対物レンズ１０６の駆動方向を適宜反転させることができる。
【００５６】
本実施の形態によれば、対物レンズ１０６に有限系として入射するＣＤ用レーザ光の光軸を光学系に位置合わせするようにしたため、対物レンズ１０６をチルト駆動することによっても補償しきれない程度にまで大きな光学特性の劣化がＣＤ用レーザ光に生じることはなく、もって、ＣＤ用レーザ光を用いた記録再生動作を安定化させることができる。このとき、ＤＶＤ用レーザ光と次世代ＤＶＤ用レーザ光の光軸は光学系に対してずれているが、これらの光は対物レンズ１０６に対して無限系として入射されるため、かかるズレにて生じるレーザ光の光学特性の劣化は、上記のように対物レンズをチルト駆動することによって抑制できる。よって、本実施の形態によれば、何れの波長のレーザ光を用いる場合にも安定した記録再生動作を実現することができる。
【００５７】
加えて、本実施の形態によれば、３波長レーザ１０１から対物レンズ１０６の間に光軸補正素子（回折格子）が介在していないため、各レーザ光に回折格子（回折効率）によるパワー減衰が生じることはなく、高パワーのレーザ光をディスク上に導くことができる。また、光軸補正素子１０８を配することによりＤＶＤ用レーザ光と次世代ＤＶＤ用レーザ光の光軸が光検出器１０９上において整合するため、これらレーザ光に対するセンサーパターンを共用でき、光検出器１０９の構成を簡素化することができる。
【００５８】
なお、本発明は、上記実施の形態に限定されるものではなく、他に種々の変更が可能である。
【００５９】
たとえば、図８に示すように、ＣＤ用レーザ光を発するレーザ素子を挟むようにしてＤＶＤ用レーザ光を発するレーザ素子と次世代ＤＶＤ用レーザ光を発するレーザ素子を配するとともに、光軸補正素子１０８によってＤＶＤ用レーザ光の光軸を受光側にてＣＤ用レーザ光の光軸に整合させるようにしても良い。こうすると、対物レンズ１０６に対するＤＶＤ用レーザ光の位置ずれ量を上記図１の場合に比べて小さくすることができ、もって、ディスク上におけるＤＶＤ用レーザ光の光学特性の劣化をさらに抑制することができる。
【００６０】
また、図９に示すように、３波長レーザ１０１の直後に光軸補正素子（回折格子）１１０を配し、ＤＶＤ用レーザ光の光軸を次世代ＤＶＤ用レーザ光の光軸に整合させるようにすることもできる。こうすると、上記図１に比べ、光軸補正素子１１０によるレーザパワーの減衰が生じるが、対物レンズ１０６に対するＤＶＤ用レーザ光の位置ずれ量を上記図１の場合に比べて小さくすることができ、ディスク上におけるＤＶＤ用レーザ光の光学特性の劣化を抑制できるとの効果が奏される。なお、この場合、光軸補正素子１１０は、上記図３（ａ）を参照して説明した如くして設計・配置される。
【００６１】
また、図１０に示すように、ＣＤ用レーザ光を発するレーザ素子を挟むようにしてＤＶＤ用レーザ光を発するレーザ素子と次世代ＤＶＤ用レーザ光を発するレーザ素子を配するとともに、３波長レーザ１０１の直後に光軸補正素子１１０を配し、光軸補正素子１１０によってＤＶＤ用レーザ光の光軸をＣＤ用レーザ光の光軸に整合させるようにしても良い。こうすると、上記図１および図８の場合に比べ、光軸補正素子１１０によるレーザパワーの減衰が生じるが、対物レンズ１０６に対するＤＶＤ用レーザ光の位置ずれ量をなくすことができ、ディスク上におけるＤＶＤ用レーザ光の光学特性を向上させることができる。なお、この場合も、光軸補正素子１１０は、上記図３（ａ）を参照して説明した如くして設計・配置される。
【００６２】
さらに、３ビーム法に基づきトラッキングエラー信号を生成する場合には、図１１に示す如く、３波長レーザ１０１の直後に３ビーム用回折格子１１１を配し、その直後に、ＤＶＤ用レーザ光の光軸をＣＤ用レーザ光の光軸に整合させる光軸補正素子１１０を配するよう構成することができる。この場合、光軸補正素子１１０は、上記図３（ａ）を参照して説明した如くして設計・配置される。また、光検出器１０９上のセンサーパターンは、３ビーム法に従うセンサーパターンに変更される。フォーカスエラー信号の生成方法も、非点収差法の他、ビームサイズ法等、他の手法を用いることができる。
【００６３】
なお、上記実施の形態では、図１２（ａ）に示すように、各レーザ素子を直線状に配置したが、同図（ｂ）（ｃ）に示すように、各レーザ素子を非直線状に配置することもできる。また、図１３（ａ）に示すように、各レーザ素子を光軸方向に前後するように配置することもできる。この場合、同図（ｂ）に示すように座標軸を設定すると、レーザ素子０から回折格子までの単純光路長Ｌは、次式で表される。
【００６４】
【数１】
2006172608.tif 000003
ここで、θ１が十分小さいとき、tanθ１＝sinθ１であるから、この式は、次式で近似できる。
【００６５】
【数２】
2006172608.tif 000004
したがって、レーザ素子１の座標値（X1,Y1,Z1）と波長λ１が半導体レーザの設計値として与えられたとき、それに応じて上記の如く設計された回折格子の配置位置は、上記式（６）または（７）の各パラメータに対応する値をそれぞれ代入することにより求めることができる。
【００６６】
この他、光軸補正素子１０８、１１０の配置位置は上記に限定されるものではなく、偏光ＢＳ１０２の直後等、適宜変更が可能である。本発明の実施の形態は、特許請求の範囲に示された技術的思想の範囲内において、適宜、変更され得る。
【図面の簡単な説明】
【００６７】
【図１】実施の形態に係る光ピックアップ装置の構成を示す図
【図２】３波長レーザの構成を示す図
【図３】光軸補正素子の作用を説明する図
【図４】光軸補正素子の格子パターンと回折効率の一例を示す図
【図５】センサーパターンと信号生成回路の構成例を示す図
【図６】対物レンズアクチュエータの構成（要部分解斜視図）を示す図
【図７】対物レンズアクチュエータの構成（組み立て斜視図）を示す図
【図８】他の実施の形態に係る光ピックアップ装置の構成を示す図
【図９】他の実施の形態に係る光ピックアップ装置の構成を示す図
【図１０】他の実施の形態に係る光ピックアップ装置の構成を示す図
【図１１】他の実施の形態に係る光ピックアップ装置の構成を示す図
【図１２】３波長レーザの他の構成例を示す図
【図１３】他の構成例における単純光路長の算出方法を説明する図
【符号の説明】
【００６８】
１０１  ３波長レーザ
１０９  対物レンズ
１０８  光軸補正素子
１１０  光軸補正素子
【図１】
2006172608.tif 000005
【図２】
2006172608.tif 000006
【図３】
2006172608.tif 000007
【図４】
2006172608.tif 000008
【図５】
2006172608.tif 000009
【図６】
2006172608.tif 000010
【図７】
2006172608.tif 000011
【図８】
2006172608.tif 000012
【図９】
2006172608.tif 000013
【図１０】
2006172608.tif 000014
【図１１】
2006172608.tif 000015
【図１２】
2006172608.tif 000016
【図１３】
2006172608.tif 000017